(57)【要約】【課題】  キャップ開栓時における内容液の漏出を防ぐことができるキャップおよび飲料入り閉止装置を提供する。【解決手段】  ライナー５の下面５ｂに流下促進突起１５を形成し、この流下促進突起１５は、内面１５ａが径方向外方に向かって漸次下降するように傾斜し、かつ下端部１５ｂが容器内面２１ａに接するかまたは容器内面２１ａの近傍に位置する構成としたため、ライナー５に付着した液滴が容器内面２１ａに導かれる。従って、キャップ１を開栓して、容器２０内のガスが排気孔１２やキャップ１と容器口部２１との間から放出された際、内容液３０がガスとともに流出することが無く、使用者の手や衣服等が汚れるのを防止できる。【選択図】    図１
2006143260.tif 000002
【特許請求の範囲】
【請求項１】
天板部とその周縁から垂下した筒部とを有するキャップ本体と、キャップ本体内に設けられたライナーとを備え、
前記ライナー下面には、該ライナーに付着した液滴を容器内面に導く流下促進突起が形成され、
この流下促進突起は、内面が径方向外方に向かって漸次下降するように傾斜し、且つ断面略円弧状に湾曲した凹面をなしており、前記流下促進突起の下端部が容器内面に接するかまたは容器内面の近傍に位置するように設けられていることを特徴とするキャップ。
【請求項２】
前記流下促進突起は、内面が、ライナー下面の平坦部に滑らかに連続するように形成されていることを特徴とする請求項１に記載のキャップ。
【請求項３】
前記流下促進突起は、キャップ周方向に沿う環状に形成されていることを特徴とする請求項１又は２に記載のキャップ。
【請求項４】
容器と、その口部に装着されるキャップとを備えた閉止装置内に飲料が充填された飲料入り閉止装置であって、
前記キャップが、請求項１〜３の何れか１項に記載のものであることを特徴とする飲料入り閉止装置。
【発明の詳細な説明】
【技術分野】
【０００１】
本発明は、容器口部を閉止するキャップ、およびこのキャップを用いた飲料入り閉止装置に関する。
【背景技術】
【０００２】
従来、容器口部を閉止するキャップとしては、天板部とその周縁から垂下した筒部とからなる金属製のキャップ本体と、天板部内面に設けられたライナーとを備えたものがある（例えば特許文献１を参照）。
図５は、従来のキャップ１００と金属製の容器２０とを備えた閉止装置を示すものである。
キャップ１００は、天板部２とその周縁から垂下した筒部３とを有するキャップ本体４と、天板部２内面に設けられたライナー１０５とを備えている。
筒部３には、容器口部２１に形成された雄ネジ２２に沿う形状のネジ部１０が形成されている。
筒部３の上部には排気孔１２が設けられており、キャップ１００を開栓した際に、容器２０内のガスを外部に排出するようになっている。
ライナー１０５は軟質の合成樹脂材料等からなり、板状に形成されている。
【０００３】
ところで、一般に金属製容器は、合成樹脂製容器やガラス製容器に比べ、若干強度が低く、外力により変形しやすい。
容器変形を防ぐためには、液体窒素供給等により窒素を容器内に封入し、容器内を高圧にするのが有効である。窒素等のガスを容器内に封入しない場合であっても、炭酸飲料を充填する場合には、容器内圧が高くなる。
【特許文献１】特開２００４−１７５３８８号公報
【発明の開示】
【発明が解決しようとする課題】
【０００４】
キャップ１００を開栓する際に、容器２０が傾けられた場合等には、内容液がライナー１０５に液滴となって付着することがある。
容器２０の内圧を高くした場合には、キャップ１００を開栓する際に、容器２０内のガスが排気孔１２から放出されるため、ライナー１０５に液滴となって付着した内容液が、放出されるガスとともにキャップ１００外部に放出されることがあった。
また、ライナー１０５に付着した内容液は、キャップ１００と容器口部２１の隙間から流出し、使用者の手や衣服等を汚してしまうおそれがあった。
【０００５】
本発明は上記事情に鑑みてなされたもので、キャップ開栓時における内容液の漏出を防ぐことができるキャップおよび飲料入り閉止装置を提供することを目的とする。
【課題を解決するための手段】
【０００６】
前記課題を解決するため、本発明は、天板部とその周縁から垂下した筒部とを有するキャップ本体と、キャップ本体内に設けられたライナーとを備え、前記ライナー下面には、該ライナーに付着した液滴を容器内面に導く流下促進突起が形成され、この流下促進突起は、内面が径方向外方に向かって漸次下降するように傾斜し、且つ断面略円弧状に湾曲した凹面をなしており、前記流下促進突起の下端部が容器内面に接するかまたは容器内面の近傍に位置するように設けられていることを特徴とするキャップを提供する。
前記流下促進突起は、内面が、ライナー下面の平坦部に滑らかに連続するように形成しても良い。
前記流下促進突起は、キャップ周方向に沿う環状に形成しても良い。
本発明は、容器と、その口部に装着されるキャップとを備えた閉止装置内に飲料が充填された飲料入り閉止装置であって、前記キャップが、上述のものであることを特徴とする飲料入り閉止装置を提供する。
【発明の効果】
【０００７】
本発明のキャップでは、流下促進突起の内面が径方向外方に向かって漸次下降するように傾斜し、かつ下端部が容器内面に接するかまたは容器内面の近傍に位置する構成としたので、ライナーに付着した液滴が容器内面に導かれる。
従って、キャップを開栓する際に、内容液の漏出が起こらず、使用者の手や衣服等が汚れるのを防止できる。
【発明を実施するための最良の形態】
【０００８】
以下、本発明に係るキャップの実施の形態について、図面を参照して説明する。
図１及び図２は、本発明の閉止装置の一例を示すもので、この閉止装置は、容器２０と、その口部２１に装着されるキャップ１とから構成されている。
【０００９】
容器２０は、アルミニウム、アルミニウム合金、スチール等の金属からなるもので、胴部２４と、胴部２４に連なる肩部２５と、肩部２５から延出する首部２６と、首部２６に連なる筒状の口部２１とを備えている。
口部２１には、キャップ１が螺着される雄ネジ２２と、キャップ１を開栓する際にＴＥリング部９が係止する膨出段部２３とが形成されている。
【００１０】
キャップ１は、天板部２とその周縁から垂下した筒部３とを有するキャップ本体４と、天板部２内面に設けられたライナー５とを備えている。
筒部３は、水平スコア６（弱化ライン）によって、水平スコア６より上部の主部８と、ブリッジ７によって主部８の下端に連結されたタンパーエビデンスリング部９（ＴＥリング部９）とに区画されている。
筒部３には、キャップ１を容器２０の口部２１に装着する際にネジ部１０が形成される。ネジ部１０は、雄ネジ２２に沿う形状となるように形成される。
筒部３の上部には、キャップ１内のガスを外部に排出する複数の排気孔１２が形成されている。
ＴＥリング部９の下部は、膨出段部２３に沿って内方に湾曲した裾部１１とされ、開栓時に膨出段部２３に係止するようになっている。
【００１１】
ライナー５は、ポリプロピレンとゴムをブレンドしたもの、ポリエチレン、ＥＶＡ（エチレン酢酸ビニル共重合体）などの比較的軟質の合成樹脂材料からなる円板シート状のものであり、天板部２内面に設けられている。
【００１２】
ライナー５の下面５ｂには、流下促進突起１５が形成されている。
流下促進突起１５は、ライナー５に付着した内容液３０の液滴３１を、容器内面２１ａへ流下させるものであり、突起内面１５ａがキャップ１の径方向外方に向かって漸次下降するように傾斜している。
流下促進突起１５の内面１５ａは、断面略円弧状に湾曲した凹面をなしている。流下促進突起１５の下端部１５ｂは、容器内面２１ａの近傍に位置している。
図２に示すように、流下促進突起１５は、内面１５ａが、下面５ｂの平坦部５ａに滑らかに連続するように形成するのが好ましい。滑らかに連続するとは、内面１５ａの接線が、内面１５ａの内縁（符号Ａで示す）において、平坦部５ａに平行となることを言う。
流下促進突起１５は、キャップ１の周方向に沿う環状に形成するのが好ましい。
【００１３】
次に、キャップ１の使用方法について図３を参照して説明する。
飲料等の内容液３０を容器２０に充填し、容器２０にキャップ１を装着する際には、液体窒素供給等により窒素を容器２０に封入することによって、容器内圧を高めることができる。容器内圧は、常温時において常圧を越える値（例えば０．１〜０．３ＭＰａ）となるように設定することができる。
容器内圧を高く設定することによって、外力により容器２０が変形するのを防ぐことができる。
【００１４】
口部２１に装着したキャップ１を開栓方向に回すと、キャップ１が上昇し、ライナー５が開口端部２１ｂから離れ、容器２０の密封が解除される。
密封が解除されると、容器２０内のガス（窒素等）は、口部２１から外部に放出される。放出ガスの一部は排気孔１２から外部に放出される。
キャップ開栓の過程では、ＴＥリング部９の裾部１１が膨出段部２３に係止することから、主部８は回転に従って上昇する一方、ＴＥリング部９は上方への移動が阻止される。
このため、主部８とＴＥリング部９とを連結しているブリッジ７に引張力が作用し、これらブリッジ７が破断し、主部８がＴＥリング部９から切り離される。
【００１５】
図３（ａ）に示すように、キャップ１を開栓する際に容器２０が傾けられた場合等には、内容液３０がライナー５に液滴３１として付着することがある。
キャップ１では、ライナー５に流下促進突起１５が形成されているため、以下に示すように、ライナー５に付着した液滴３１が容器内面２１ａに導かれる。
図３（ｂ）に示すように、液滴３１は、傾斜した突起内面１５ａに沿って流下し、下端部１５ｂに到達する。
下端部１５ｂは、容器内面２１ａの近傍に位置しているため、下端部１５ｂに導かれた液滴３１が容器内面２１ａに導かれ、液滴３１は容器内面２１ａを流下する。
従って、キャップ１を開栓して、容器２０内のガスが排気孔１２やキャップ１と容器口部２１との間から放出された際、内容液３０がガスとともに漏出することが無く、使用者の手や衣服等が汚れるのを防止できる。
【００１６】
図４に示すキャップ１では、断面円弧状の内面１６ａを有する流下促進突起１６の下端部１６ｂが、容器内面２１ａと接するように構成している。これにより、液滴３１がスムーズに容器内面２１ａへ導かれる。
【００１７】
上記閉止装置は、果汁飲料、茶飲料、コーヒー飲料、炭酸飲料等の飲料を容器に充填し、口部にキャップを装着することによって、飲料が充填された飲料入り閉止装置とすることができる。
【図面の簡単な説明】
【００１８】
【図１】本発明のキャップの一例を用いた閉止装置を示す断面図である。
【図２】図１に示すキャップの要部を示す断面図である。
【図３】図１に示すキャップの要部を示す断面図である。
【図４】本発明のキャップの他の例の要部を示す断面図である。
【図５】従来のキャップを示す断面図である。
【符号の説明】
【００１９】
１、１００…キャップ、５…ライナー、５ａ…平坦部、５ｂ…下面、１５、１６…流下促進突起、１５ａ、１６ａ…突起内面、１５ｂ、１６ｂ…下端部、２０…容器、２１…口部、２１ａ…容器内面、３０…内容液、３１…液滴
【図１】
2006143260.tif 000003
【図２】
2006143260.tif 000004
【図３】
2006143260.tif 000005
【図４】
2006143260.tif 000006
【図５】
2006143260.tif 000007